(57)【要約】【課題】用紙を分割断裁する機能を備える画像形成システムにおいて、画像に欠陥が発生した場合、その用紙の画像に欠陥が無い部分の利用を可能とし、無駄の発生を抑制する。【解決手段】画像形成システム１は、用紙に複数の画像を形成する画像形成部２０と、画像形成部２０により複数の画像が形成された用紙を断裁する断裁部６１０と、断裁部６１０による断裁処理前に読取部４１０により用紙上の画像を読み取り、複数の画像それぞれに対して欠陥の有無を判定する制御部１１と、を備え、制御部１１は、いずれかの画像に欠陥が有ると判定した場合、用紙を、欠陥を含まない正常領域と欠陥を含む不良領域とに区分して、正常領域が複数の画像の画像サイズに応じた第１サイズであって、不良領域が第１サイズと異なる第２サイズとなるように、断裁部６１０による断裁を実行させる。【選択図】図２
2020016713.tif 000002
【特許請求の範囲】
【請求項１】
用紙に複数の画像を形成する画像形成部と、
前記画像形成部により前記複数の画像が形成された用紙を断裁する断裁部と、
前記断裁部による断裁処理前に用紙上の画像を読み取り、前記複数の画像それぞれに対して欠陥の有無を判定する検査部と、
前記検査部によりいずれかの画像に欠陥が有ると判定された場合、用紙を、欠陥を含まない正常領域と欠陥を含む不良領域とに区分して、前記正常領域が前記複数の画像の画像サイズに応じた第１サイズであって、前記不良領域が前記第１サイズと異なる第２サイズとなるように、前記断裁部による断裁を実行させる制御部と、
を備えることを特徴とする画像形成システム。
【請求項２】
用紙を排出する複数の排出部を備え、
前記制御部は、前記複数の排出部のうち、前記第２サイズに応じた一の排出部から、前記不良領域を排出することを特徴とする請求項１に記載の画像形成システム。
【請求項３】
前記制御部は、ユーザー操作により指定された前記一の排出部から、前記不良領域を排出させることを特徴とする請求項２に記載の画像形成システム。
【請求項４】
前記複数の排出部は、
前記断裁部が用紙を断裁することにより発生する用紙屑を収容する用紙屑収容箱と、
前記断裁部が用紙の前記正常領域を断裁することにより生成する前記第１サイズの正常品を収容する正常品収容トレイと、
前記断裁部により用紙されていない用紙を排出可能な排紙トレイと、
を含むことを特徴とする請求項２又は３に記載の画像形成システム。
【請求項５】
前記制御部は、
前記用紙屑収容箱に前記不良領域を排出する場合、
前記第２サイズを、ユーザー操作により指定された指定値に設定可能であることを特徴とする請求項４記載の画像形成システム。
【請求項６】
前記制御部は、
前記正常品収容トレイ又は前記排紙トレイに前記不良領域を排出する場合、
前記第２サイズを、前記第１サイズの整数倍の値に設定することを特徴とする請求項４又は５に記載の画像形成システム。
【請求項７】
前記画像形成部は、隣接する画像間に余白領域を有するように前記複数の画像を形成し、
前記制御部は、前記第２サイズを、前記第１サイズの整数倍の値と、前記余白領域の長さとを加算した値に設定することを特徴とする請求項６に記載の画像形成システム。
【請求項８】
前記制御部は、前記検査部により複数の画像に欠陥が有ると判定された場合、複数の欠陥の位置に応じて、前記不良領域を決めることを特徴とする請求項１から７のいずれか一項に記載の画像形成システム。
【請求項９】
前記画像形成部は、用紙の両面に対して画像形成可能であり、
前記検査部は、用紙の両面の画像に対して欠陥の有無を判定可能であり、
前記制御部は、前記検査部により用紙の両面に欠陥が有ると判定された場合、用紙の両面の欠陥の位置に応じて、前記不良領域を決めることを特徴とする請求項１から８のいずれか一項に記載の画像形成システム。
【請求項１０】
前記制御部は、
前記不良領域に含まれる画像に関するリカバリー情報を記憶部に記憶させ、
前記画像形成部により、新たな用紙に、前記リカバリー情報に基づくリカバリー画像を形成させることを特徴とする請求項１から９のいずれか一項に記載の画像形成システム。
【請求項１１】
前記制御部は、前記新たな用紙の前記リカバリー画像の形成された領域のみを、前記断裁部により前記第１サイズで断裁させることを特徴とする請求項１０に記載の画像形成システム。
【請求項１２】
前記制御部は、用紙の搬送方向の断裁位置を設定して、前記第２サイズを変更することを特徴とする請求項１から１１のいずれか一項に記載の画像形成システム。
【請求項１３】
前記制御部は、画像形成条件の異なる複数のジョブを実行可能であり、
ユーザー操作に応じて、前記不良領域の断裁処理に関する断裁条件を、ジョブ毎に設定可能であることを特徴とする請求項１から１２のいずれか一項に記載の画像形成システム。
【請求項１４】
前記制御部は、前記不良領域の排出先を表示部に表示させることを特徴とする請求項１から１３のいずれか一項に記載の画像形成システム。
【請求項１５】
用紙に複数の画像を形成する画像形成部と、
前記画像形成部により前記複数の画像が形成された用紙を断裁する断裁部と、
を備えた画像形成システムのコンピューターを、
前記断裁部による断裁処理前に用紙上の画像を読み取り、前記複数の画像それぞれに対して欠陥の有無を判定する検査部、
前記検査部によりいずれかの画像に欠陥が有ると判定された場合、用紙を、欠陥を含まない正常領域と欠陥を含む不良領域とに区分して、前記正常領域が前記複数の画像の画像サイズに応じた第１サイズであって、前記不良領域が前記第１サイズと異なる第２サイズとなるように、前記断裁部による断裁を実行させる制御部、
として機能させるプログラム。
【発明の詳細な説明】
【技術分野】
【０００１】
本発明は、画像形成システム及びプログラムに関する。
【背景技術】
【０００２】
従来、用紙に画像を形成する画像形成装置に、画像形成した用紙に対して、画像汚れ、濃度むら、見当ずれ、色調不良等の欠陥の有無をインラインで検査する検査装置を接続させた画像形成システムが知られている。
このような画像形成システムでは、欠陥有りと判定された用紙は不良品（ヤレ）として正常品を排出中のトレイとは別のトレイに排出し、欠陥有りと判定された用紙に形成された画像を新たに用紙に形成することで、不良品が正常品に混ざらないようにする技術が提案されている（例えば、特許文献１参照）。
【０００３】
一方で、名刺などの小サイズ画像を一枚の用紙に複数形成し、その用紙を縦横それぞれの位置で断裁して複数のカード状の用紙に分割し、専用トレイに排出させる断裁装置が開発されている。
【先行技術文献】
【特許文献】
【０００４】
【特許文献１】特開２００７−３２２４６５公報
【発明の概要】
【発明が解決しようとする課題】
【０００５】
しかしながら、用紙を複数に分割する場合、上記特許文献１の技術で検査しようとすると、欠陥有りと判定された用紙は不良品としてはじかれるため、複数の画像のうちの一部のみ欠陥が有る場合でも、用紙１枚分がはじかれ、欠陥が無い画像部分までも再形成が必要となり、無駄が発生していた。
【０００６】
本発明の課題は、用紙を分割断裁する機能を備える画像形成システムにおいて、画像に欠陥が発生した場合、その用紙の画像に欠陥が無い部分の利用を可能とし、無駄の発生を抑制することである。
【課題を解決するための手段】
【０００７】
上記課題を解決するため、本発明は、画像形成システムにおいて、
用紙に複数の画像を形成する画像形成部と、
前記画像形成部により前記複数の画像が形成された用紙を断裁する断裁部と、
前記断裁部による断裁処理前に用紙上の画像を読み取り、前記複数の画像それぞれに対して欠陥の有無を判定する検査部と、
前記検査部によりいずれかの画像に欠陥が有ると判定された場合、用紙を、欠陥を含まない正常領域と欠陥を含む不良領域とに区分して、前記正常領域が前記複数の画像の画像サイズに応じた第１サイズであって、前記不良領域が前記第１サイズと異なる第２サイズとなるように、前記断裁部による断裁を実行させる制御部と、
を備えることを特徴とする。
【０００８】
また、用紙に複数の画像を形成する画像形成部と、
前記画像形成部により前記複数の画像が形成された用紙を断裁する断裁部と、
を備えた画像形成システムのコンピューターを、
前記断裁部による断裁処理前に用紙上の画像を読み取り、前記複数の画像それぞれに対して欠陥の有無を判定する検査部、
前記検査部によりいずれかの画像に欠陥が有ると判定された場合、用紙を、欠陥を含まない正常領域と欠陥を含む不良領域とに区分して、前記正常領域が前記複数の画像の画像サイズに応じた第１サイズであって、前記不良領域が前記第１サイズと異なる第２サイズとなるように、前記断裁部による断裁を実行させる制御部、
として機能させるプログラムである。
【発明の効果】
【０００９】
本発明によれば、用紙を分割断裁する機能を備える画像形成システムにおいて、画像に欠陥が発生した場合、その用紙の画像に欠陥が無い部分の利用を可能とし、無駄の発生を抑制することができる。
【図面の簡単な説明】
【００１０】
【図１】画像形成システムの全体構成を示す概略構成図である。
【図２】画像形成システムの機能構成を示すブロック図である。
【図３】断裁部の構成を示す模式図である。
【図４】画像形成システムの一連の動作を示すフローチャートである。
【図５】画像形成システムの一連の動作を示すフローチャートである。
【図６】画像に欠陥が無い用紙を示す一例である。
【図７】画像に欠陥が有る用紙を示す一例である。
【図８】不良領域を断裁する方法の一例について説明するための図である。
【図９】不良領域を断裁する方法の一例について説明するための図である。
【図１０】不良領域を断裁する方法の一例について説明するための図である。
【図１１】不良領域を断裁する方法の一例について説明するための図である。
【図１２】ユーザーが排出先を指示するための設定画面の一例である。
【図１３】リカバリー画像について説明するための図である。
【図１４】リカバリー画像について説明するための図である。
【図１５】画像に欠陥が有る用紙を示す一例である。
【図１６】画像に欠陥が有る用紙を示す一例である。
【発明を実施するための形態】
【００１１】
以下、本発明の実施の形態について図面を参照して説明する。ただし、本発明の技術的範囲は、図示例に限定されない。
【００１２】
［画像形成装置の構成］
まず、本実施の形態に係る画像形成システム１の構成について説明する。
図１は、画像形成システム１の概略構成図である。また、図２は、画像形成システム１の機能構成を示すブロック図である。
【００１３】
図１及び図２に示すように、画像形成システム１は、給紙ユニット１００、画像形成装置２００、インサーター３００、画像読取ユニット４００、パージユニット５００、断裁ユニット６００及び排紙ユニット７００等を備え、これら各ユニットが用紙の搬送方向に沿って直列に接続されたタンデム構成となっている。
本実施の形態の画像形成システム１は、画像形成装置２００により１枚の用紙に名刺などの小サイズ画像を複数形成し、断裁ユニット６００によりこの用紙を縦横に分割断裁して、複数のカード状の用紙を生成することのできるものである。
【００１４】
〔給紙ユニット〕
給紙ユニット１００は、図１に示すように、複数の給紙トレイＴ１を備え、各給紙トレイＴ１に収容した用紙を画像形成装置２００へ搬送して給紙する。
【００１５】
〔画像形成装置〕
画像形成装置２００は、図１に示すように、画像形成部２０を備え、この画像形成部２０により用紙上に画像を形成する。使用する用紙は、給紙ユニット１００の給紙トレイＴ１及び画像形成装置２００の内部に備える給紙トレイＴ２のいずれからも給紙することができる。
【００１６】
画像形成装置２００は、図２に示すように、例えば、制御部１１、記憶部１２、操作部１３、表示部１４、通信部１５、画像生成部１６、画像読取部１７、画像メモリー１８、画像処理部１９、画像形成部２０等を備えて構成されている。
【００１７】
制御部１１は、ＣＰＵ（Central Processing Unit）、ＲＡＭ（Random Access Memory）等を備えて構成され、記憶部１２から各種プログラムを読み出して実行することにより、画像形成システム１の各部を制御する。
【００１８】
記憶部１２は、制御部１１等により読み取り可能なプログラム、プログラムの実行時に用いられるファイル等を記憶している。記憶部１２としては、ハードディスク等の大容量メモリーを用いることができる。
【００１９】
操作部１３及び表示部１４は、図１に示すように、画像形成装置２００の上部に設けられたユーザーインターフェイスである。
操作部１３は、ユーザーの操作に応じた操作信号を生成し、制御部１１に出力する。操作部１３としては、キーパッド、表示部１４と一体に構成されたタッチパネル等を用いることができる。
表示部１４は、制御部１１の指示にしたがって操作画面等を表示する。表示部１４としては、ＬＣＤ（Liquid Crystal Display）、ＯＥＬＤ（Organic Electro Luminescence Display）等を用いることができる。
【００２０】
例えば、操作部１３及び表示部１４は、画像形成モードをユーザーが指示する際に使用される。画像形成モードとして、例えば、１枚の用紙に１つの画像を形成する通常モードと、１枚の用紙に複数の画像を形成する多面付けモード等がある。このとき、用紙の画像形成面を、一面又は両面として指示することができる。
また、操作部１３及び表示部１４は、用紙を断裁する断裁処理の実行有無、断裁処理に関する各種設定などをユーザーが指示する際に使用される。
このようなユーザー操作による指示事項は、画像形成ジョブのジョブ情報に付加される。
【００２１】
通信部１５は、ネットワーク上の外部装置、例えばユーザー端末、サーバー、他の画像形成装置等と通信する。
通信部１５は、ネットワークを介してユーザー端末等から、画像を形成する指示内容がページ記述言語（ＰＤＬ：Page Description Language）で記述されたデータ（以下、ＰＤＬデータという）を含む画像形成ジョブのジョブ情報を受信する。
ジョブ情報には、例えば、ユーザー端末によりユーザーが指示操作した場合、その指示事項（画像形成モード、断裁処理の実行有無、断裁処理に関する各種設定等）が含まれる。
【００２２】
画像生成部１６は、通信部１５により受信したＰＤＬデータをラスタライズ処理し、ビットマップ形式の画像データを生成する。
【００２３】
画像読取部１７は、原稿面を読み取って、ビットマップ形式の画像データを生成する。画像読取部１７としては、図１に示すようにプラテンガラス１７３の下に設けられたスキャナー１７１を使用することができ、自動原稿読取装置（ＡＤＦ：Auto Document Feeder）１７２を備えてスキャナー１７１へ原稿を自動送りすることもできる。
【００２４】
ここで、画像生成部１６及び画像読取部１７においては、ジョブ情報に多面付けモードの設定が含まれた場合、１枚の用紙に対して複数の画像が納められた画像データが生成される。
【００２５】
画像生成部１６及び画像読取部１７により生成した画像データが、Ｒ（赤）、Ｇ（緑）及びＢ（青）の３色の画素値を有する場合、制御部１１や専用の色変換部等により色変換処理し、Ｃ（シアン）、Ｍ（マジェンタ）、Ｙ（イエロー）及びＫ（黒）の４色の画素値を有する画像データに変換した後、画像メモリー１８により保持する。画素値は画像の濃淡を表すデータ値であり、例えば８ビットのデータ値は０〜２５５階調の濃淡を表す。
【００２６】
画像メモリー１８は、画像生成部１６又は画像読取部１７により生成された画像データを一時的に保持するバッファーメモリーである。画像メモリー１８としては、ＤＲＡＭ（Dynamic RAM）等を用いることができる。
【００２７】
画像処理部１９は、画像メモリー１８から画像データを読み出して、濃度補正処理、中間調処理等の各種画像処理を施す。濃度補正処理は、用紙上の画像の濃度特性が目的の濃度特性となるように、画像データの各画素値を変換する処理である。中間調処理は、ディザ処理や誤差拡散処理等のように、疑似的に中間調を再現する処理である。
【００２８】
画像形成部２０は、画像処理部１９により画像処理した画像データの各画素のＣ、Ｍ、Ｙ及びＫの４色の画素値に応じて、４色からなる画像を用紙上に形成する。
画像形成部２０は、４つの書込みユニット２１、中間転写ベルト２２、２次転写ローラー２３、定着装置２４、複数の給紙トレイＴ２等を備えている。
【００２９】
４つの書込みユニット２１は、中間転写ベルト２２のベルト面に沿って直列（タンデム）に配置され、Ｃ、Ｍ、Ｙ及びＫの各色の画像を形成する。各書込みユニット２１は形成する画像の色が異なるだけで構成は同じであり、図１に示すように、露光部２ａ、感光体２ｂ、現像部２ｃ、帯電部２ｄ、クリーニング部２ｅ及び１次転写ローラー２ｆを備えている。
【００３０】
各書込みユニット２１では、帯電部２ｄにより感光体２ｂを帯電させた後、露光部２ａにおいて画像データに基づいて変調したレーザービームを出射し、回転する感光体２ｂ上を走査して静電潜像を形成する。現像部２ｃは感光体２ｂ上にトナーを供給して、感光体２ｂ上の静電潜像を現像する。このようにして、４つの書込みユニット２１の感光体２ｂ上にそれぞれ形成した画像を、それぞれの１次転写ローラー２ｆにより、中間転写ベルト２２上に順次重ねて転写（１次転写）すると、中間転写ベルト２２上には各色からなる画像が形成される。１次転写後、クリーニング部２ｅにより感光体２ｂ上に残留するトナーを除去する。
【００３１】
給紙トレイＴ１又はＴ２から用紙が給紙されると、２次転写ローラー２３により中間転写ベルト２２から用紙上に画像を転写（２次転写）し、定着装置２４において用紙を加熱及び加圧し、定着処理する。用紙の両面に画像を形成する場合は、搬送経路に用紙を搬送して用紙面を反転した後、再度２次転写ローラー２３へ用紙を搬送すればよい。
【００３２】
〔インサーター〕
インサーター３００は、表紙・裏表紙用の用紙、画像形成済みの用紙等を収納して、画像形成装置２００から搬送される用紙の用紙間に給紙することの可能な装置である。
【００３３】
〔画像読取ユニット〕
画像読取ユニット４００は、インサーター３００の下流に配置されており、画像形成装置２００において画像が形成された用紙の画像形成面を、用紙がパージユニット５００に搬送される前に読み取って、得られた読取データを制御部１１に出力する。
画像読取ユニット４００は、例えば、読取部４１０を備える。
読取部４１０は、第１スキャナー４１０Ａと、第２スキャナー４１０Ｂとを備え、各スキャナーは、搬送経路を搬送される用紙の表面及び裏面をそれぞれ読み取り可能な位置に配置される。
第１スキャナー４１０Ａ及び第２スキャナー４１０Ｂは、例えば、用紙の搬送方向と直交し、かつ、用紙面と平行な方向（用紙の幅方向）にＣＣＤ（Charge Coupled Device）がライン状に配列されたラインセンサーによって構成されており、用紙の全域を読み取ることができる。
以下、第１スキャナー４１０Ａと第１スキャナー４１０Ａとを特に区別しない場合には、第１スキャナー４１０Ａ及び第１スキャナー４１０Ａを総称してスキャナー４１０という。
なお、上記した読取部４１０と制御部１１により、検査部が構成される。
【００３４】
〔パージユニット〕
パージユニット５００は、画像読取ユニット４００から搬送された用紙の搬送経路を、下流側の断裁ユニット６００に進む方向から、外部に排出する方向に切り替え可能な装置である。
パージユニット５００は、パージトレイＴ３を備え、例えば、用紙全体として画像形成を再度実行すると判断された用紙があった場合、その用紙をパージトレイＴ３に排出させる。
【００３５】
〔断裁ユニット〕
断裁ユニット６００は、パージユニット５００から搬送された用紙を分割断裁することの可能な装置である。
断裁ユニット６００は、例えば、断裁部６１０、断裁ユニット６００の上部に設けられた排紙トレイＴ４を備える。
【００３６】
図３は、断裁ユニット６００の構成を示す模式図である。
断裁部６１０は、例えば、ＦＤスリッター６０１、ＣＤカッター６０２、屑箱（用紙屑収容箱）６０３、カードトレイ（正常品収容トレイ）６０４及びゲート６０５等を備えて構成される。
【００３７】
ＦＤスリッター６０１は、鉛直方向に一対の丸刃を有し、この丸刃が用紙の搬送方向（ＦＤ方向）に沿うように配置されるスリッターである。
このＦＤスリッター６０１は、用紙の幅方向（ＣＤ方向）に沿って並列に複数組（本実施の形態においては、１０組）設けられている。
各ＦＤスリッター６０１は、用紙の搬送に伴ってそれぞれ上下の刃が回転することによって、用紙を搬送方向に沿って断裁することができる。このため、用紙の搬送に伴って、当該用紙を幅方向に複数の領域に分割することが可能である。
【００３８】
ＣＤカッター６０２は、ＦＤスリッター６０１の下流側に配置される。
ＣＤカッター６０２は、刃が互いに対向するように配置された断裁刃６０２ａ及び６０２ｂを有する。断裁刃６０２ａ及び６０２ｂは、それぞれその長手方向が用紙の幅方向に沿って延在する板状に形成されている。
ＣＤカッター６０２は、用紙の搬送に伴ってそれぞれ上下の刃が近づくことによって、両者の間に挟まれた用紙を幅方向に沿って断裁することができる。このため、用紙の搬送に伴って、当該用紙を搬送方向に複数の領域に分割することが可能である。
【００３９】
これらＦＤスリッター６０１及びＣＤカッター６０２により、１枚の用紙が分割断裁されて、複数のカード状の用紙（正常品）を生成することができる。
【００４０】
屑箱６０３は、ＣＤカッター６０２の下方に設置され、その上面に開口部６０３ａを有する箱体である。屑箱６０３は、ＣＤカッター６０２による断裁で生成されて落下した断裁片を収容する。
開口部６０３ａの内部に、下側の断裁刃６０２ｂが設置されている。
ここで、開口部６０３ａは、断裁刃６０２ｂが設置された後に残る受け入れ領域（実質の開口部）の寸法が所定値となるように、予めサイズが設定されている。これにより、屑箱６０３に排出可能な断裁片の搬送方向の最大長が決まっている。
例えば、開口部６０３ａにおける、断裁刃６０２ｂの搬送方向前後のそれぞれの領域の長さＬ１は、１５ｍｍに設定されている。
【００４１】
カードトレイ６０４は、ＣＤカッター６０２の下流側であって、搬送経路の下方に設置され、その上面に開口部６０４ａを有する箱体である。
カードトレイ６０４は、ＦＤスリッター６０１及びＣＤカッター６０２の断裁により生成されたカード状の用紙（正常品）等を収容するためのトレイである。
ここで、開口部６０４ａは、その寸法が所定値となるように、予めサイズが設定されている。これにより、カードトレイ６０４に排出可能な用紙の搬送方向の最大長が決まっている。
例えば、開口部６０４ａの搬送方向の長さＬ２は、２５０ｍｍに設定されている。
【００４２】
ゲート６０５は、ＣＤカッター６０２の下流側の搬送経路に設置され、ＣＤカッター６０２を通過してきた用紙の進行方向を切り替える。
ゲート６０５は、ＦＤスリッター６０１及びＣＤカッター６０２の断裁により、カード状の用紙、又はカード状の用紙以下のサイズの用紙が生成された場合、これらをカードトレイ６０４に搬送する。
また、ゲート６０５は、これ以上のサイズの用紙については、排紙ユニット７００又は排紙トレイＴ４に向けて搬送する。
【００４３】
その他、断裁ユニット６００は、用紙を正確に断裁するための機構として、例えば、用紙の曲がりを補正する曲がり補正ローラー対、用紙の搬送方向の先端を検出するセンサー等を備えても良い。
【００４４】
〔排紙ユニット〕
排紙ユニット７００は、画像形成システム１の用紙の搬送方向の最下流に設けられたメイン排紙トレイＴ５、排紙ユニット７００の上部に設けられたサブ排紙トレイＴ６を備え、断裁ユニット６００から搬送された用紙を排出する。
【００４５】
なお、本実施の形態では、上述したように、画像形成装置２００の制御部１１が画像形成システム１を構成する各ユニットの動作制御を行うものとするが、かかる構成は一例であってこれに限られるものでない。例えば、画像形成システム１の動作制御のための制御ユニットが別途設けられていてもよいし、各ユニットに個別に制御部が設けられていてもよい。
【００４６】
［画像形成装置の動作］
次に、本実施の形態における画像形成システム１の動作について説明する。
本実施の形態の画像形成システム１は、画像形成装置２００により１枚の用紙に名刺などの小サイズ画像を複数形成し（画像形成処理）、断裁ユニット６００によりこの用紙を縦横に断裁して、複数のカード状の用紙を生成するものである（断裁処理）。
また、この際、画像読取ユニット４００により用紙に形成された画像を読み取って、画像の欠陥の有無を判定し、画像に欠陥がない領域（正常領域）を出来るだけ利用しつつ、画像に欠陥があった領域（不良領域）について用紙に再度画像形成しなおして（リカバリー処理）、高品質の出力物を作製可能とする。
以下、このようなシステムの動作の一連の流れについて説明する。
【００４７】
図４及び図５は、上記した画像形成システム１の動作の流れを示すフローチャートである。
画像形成システム１の制御部１１は、画像形成ジョブが投入されたことをトリガーとして、記憶部１２に記憶されたプログラムに従い、かかる処理を実行する。
なお、画像形成ジョブのジョブ情報には、画像形成モード、画像形成する用紙のページ数、各ページの番号、各ページに形成する画像データ、断裁処理の実行有無、断裁処理に関する各種設定等が含まれている。
【００４８】
まず、制御部１１は、給紙要求があるか否かを判断し（ステップＳ１０１）、給紙要求がない場合（ステップＳ１０１：ＮＯ）、このステップＳ１０１を繰り返す。
【００４９】
一方、給紙要求がある場合（ステップＳ１０１：ＹＥＳ）、制御部１１は、指定された給紙トレイ（給紙トレイＴ１又は給紙トレイＴ２）より、給紙を行う（ステップＳ１０２）。
【００５０】
次いで、制御部１１は、ジョブ情報に基づいて、用紙の一面又は両面に対して画像形成処理を行う（ステップＳ１０３）。
【００５１】
次いで、制御部１１は、読取部４１０により、用紙の画像形成面を読み取って、読取データを取得し、制御部１１に出力する（ステップＳ１０４）。
【００５２】
次いで、制御部１１は、画像に欠陥が無いか否かを判定する（ステップＳ１０５）。
例えば、制御部１１は、読取部４１０により取得した読取データを、画像形成に用いた画像データと比較して、画像の違いが発生している部分について、画像に欠陥があると判定する。
なお、画像の欠陥とは、例えば、画像汚れ、濃度むら、見当ずれ、色調不良などであって、これらの発生を認識できるものであれば、画像に欠陥が無いか否かを判断する手法は特に限定されない。
【００５３】
そして、画像に欠陥が無い場合（ステップＳ１０５：ＹＥＳ）、制御部１１は、ジョブ情報に基づいて、断裁処理を実行する設定があるか否かを判断し（ステップＳ１０６）、断裁処理を実行する設定が無い場合（ステップＳ１０６：ＮＯ）、後述のステップＳ１２４に移行する。
【００５４】
一方、断裁処理を実行する設定がある場合（ステップＳ１０６：ＹＥＳ）、制御部１１は、断裁部６１０により断裁処理を行い（ステップＳ１０７）、ゲート６０５を切り替えて、生成されたカード状の用紙（正常品）を、カードトレイ６０４に排出させ（ステップＳ１０８）、後述のステップＳ１２４に移行する。
【００５５】
図６は、画像に欠陥が無く、画像の全面が正常領域として断裁される用紙Ｐを示す一例である。
ここでは、用紙Ｐは、その長手方向が搬送方向（ＦＤ方向）に沿うよう搬送されるものとする。図６において、破線は、ＦＤスリッター６０１及びＣＤカッター６０２による断裁位置である。
図６の例では、用紙Ｐには、縦横それぞれ５つずつの２５個の画像が形成されている。また、隣接する画像間には余白領域が設けられている
この用紙Ｐは、１０組のＦＤスリッター６０１により、幅方向において「Ａ」〜「Ｅ」の５つの領域に分割される。また、用紙Ｐは、ＣＤカッター６０２により、搬送方向において「１」〜「５」の５つの領域に分割される。
これにより、領域「Ａ」〜「Ｅ」と領域「１」〜「５」の組み合わせで用紙Ｐ上の位置を特定可能な、２５個の、画像の載ったカード状の用紙（正常品）が生成される。このとき、隣接する画像間に余白領域が設けられていたため、余白領域が切り落とされることとなる。
【００５６】
なお、ＦＤスリッター６０１及びＣＤカッター６０２の断裁位置は、用紙に形成された画像の数、サイズ及び位置に応じて設定される。
ＦＤスリッター６０１の配置により、用紙の幅方向の断裁位置、断裁数などを変更可能である。
また、ＣＤカッター６０２の動作タイミングにより、用紙の搬送方向の断裁位置、断裁数などを変更可能である。
【００５７】
断裁部６１０において、用紙は、その搬送に伴って、搬送方向の先端側から、ＦＤスリッター６０１、ＣＤカッター６０２の順に断裁されていく。
これにより、搬送方向の長さが、屑箱６０３の開口部６０３ａの受け入れ領域の長さＬ１（１５ｍｍ）より短い断裁片は、落下して、屑箱６０３に収容される。
また、生成されたカード状の用紙（正常品）は、カードトレイ６０４に収容される。
【００５８】
図５に戻って、上記ステップＳ１０５において、画像に欠陥が有る場合（ステップＳ１０５：ＮＯ）、制御部１１は、用紙における欠陥位置を特定する（ステップＳ１０９）。
【００５９】
図７は、画像の一つに欠陥を有する用紙Ｐを示す一例である。
図７では、図６と同様の２５個の画像が形成され、そのうち、用紙の幅方向における領域「Ｂ」、搬送方向における領域「３」で特定される位置において、画像に欠陥がある。
この例では、制御部１１は、用紙における欠陥位置を（Ｂ−３）として特定する。
【００６０】
次いで、制御部１１は、断裁設定があるか否かを判断し（ステップＳ１１０）、断裁設定が無い場合（ステップＳ１１０：ＮＯ）、用紙全体がリカバリーの対象となるため、用紙をパージユニット５００のパージトレイＴ３に排出させ（ステップＳ１１１）、その用紙のページの番号（用紙ナンバー）を記憶部１２に記憶させ（ステップＳ１１２）、リカバリー要求を行う（ステップＳ１１３）。
【００６１】
また、上記ステップＳ１１０において、断裁設定が有る場合（ステップＳ１１０：ＹＥＳ）、制御部１１は、特定した欠陥位置に基づいて、用紙を正常領域、不良領域に区分けして、不良領域に対する断裁条件（断裁位置、断裁幅、断裁回数等）の設定を行う（ステップＳ１１４）。
【００６２】
ここで、用紙の正常領域は、ジョブ情報に含まれる断裁処理に関する設定に基づいて、画像の画像サイズに応じたサイズ（第１サイズ）となるよう断裁処理が実行され、正常品が生成されて、カードトレイ６０４に排出される。
一方、用紙の不良領域は、正常品とは異なるサイズ（第２サイズ）に断裁され、（１）屑箱、（２）カードトレイ、（３）排紙トレイの３つの排出先のいずれかに排出される。
以下、排出先ごとの断裁条件の設定について説明する。
【００６３】
＜（１）屑箱に排出する場合＞
（１）は、不良領域がカードトレイ６０４に混在しないように、屑箱６０３に落下させる方法である。
例えば、図７では、上記したように、欠陥位置が（Ｂ−３）である。
このとき、断裁部６１０が、用紙の幅方向に延在するＣＤカッター６０２により用紙を幅方向において一度に断裁する構成のため、欠陥位置が（Ｂ−３）の場合、同じ列から（Ｂ−３）のみ切り出すことができないため、制御部１１は、（Ａ−３）、（Ｂ−３）、（Ｃ−３）、（Ｄ−３）及び（Ｅ−３）の３列目（５枚の画像）を、不良領域と区分けする。なお、用紙のこれ以外の領域が、正常領域となる。
そして、制御部１１は、この不良領域がカードトレイ６０４に混在しないようにするために、屑箱６０３に落下させるように、断裁条件の設定を行う。
このとき、開口部６０３ａの受け入れ領域の長さＬ１（１５ｍｍ）の制約から、屑箱６０３に落とすことができる断裁片の幅が決まっている。
そのため、制御部１１は、開口部６０３ａに落下させることが可能な最大幅（１５ｍｍ）を断裁幅と設定する。
また、例えば、図８に示すように、画像間の余白領域を含めた、画像の搬送方向の長さが１１０ｍｍだった場合、１１０ｍｍ＝１５ｍｍ×７＋５ｍｍとなるため、合計７回の断裁回数を設定し、断裁行う。
なお、欠陥画像の両端の余白領域も含めて不良領域とすることで、全体として断裁回数を減らすことが可能である。
こうした設定に基づいて、制御部１１は、２列目の断裁が完了した後、３列目において、ＣＤカッター６０２により、１５ｍｍの断裁幅で７回の断裁を行い、３列目を断裁片とさせて屑箱６０３に収容させる。
また、４列目以降は正常領域であるため、３列目終了後、制御部１１は、ＣＤカッター６０２の制御を戻す。
【００６４】
なお、不良領域の画像に、例えば個人情報などが入っている場合は、断裁幅を、最大幅（１５ｍｍ）より小さく（例えば、２〜１４ｍｍ）設定することも好ましい。断裁幅の設定に応じて、断裁回数も設定される。
【００６５】
＜（２）カードトレイに排出する場合＞
上記（１）の方法は、ＣＤカッター６０２の断裁回数が増えるため、断裁に掛かる時間が増えて生産性が低下したり、断裁歯の寿命により交換頻度が増加し、コスト高やダウンタイムが発生するデメリットがある。
（２）の方法は、このようなデメリットを減らすことを目的として、不良領域を、正常品とは異なるサイズに断裁して、カードトレイ６０４に排紙させる方法である。
図７の例を用いると、まず、制御部１１は、上記（１）と同様にして、３列目（５枚の画像）を、不良領域とし、それ以外の領域を、正常領域と区分けする。
次いで、制御部１１は、例えば、図９に太線で示すように、３列目の搬送方向の中央部で一度断裁を実行するよう断裁条件を設定する。
これにより、３列目が、正常品より搬送方向の長さが小さくなるように断裁され、カードトレイ６０４に排出されることとなる。よって、不良領域の用紙（ＮＧ品）が、正常品より小さくなって、カードトレイ６０４において正常品とＮＧ品が混在しても、ユーザーが識別可能である。
【００６６】
なお、ＮＧ品を、正常品よりも小サイズに断裁するのではなく、図１０に示すように、用紙Ｐの３列目と４列目を分割せずに大きいサイズとして排出することも可能である。
この場合、３列目と４列目が不良領域であり、それ以外の領域が正常領域として区分けされる。また、３列目と４列目においては、断裁しないように、断裁条件が設定される。
なお、この場合には、４列目もリカバリー対象になるが、正常品より大きいサイズでカードトレイ６０４に排出されるため、ＮＧ品をより取り除きやすいという利点がある。
また、この際、カードトレイ６０４の開口部６０４ａに排出可能な最大長が決まっており、その最大長以上になる用紙は排出できない。
例えば、カードトレイ６０４に２５０ｍｍまでの用紙を排出できる場合で、画像１つ分が１００ｍｍ、余白領域が５ｍｍの場合、画像２つ分（１０５ｍｍ×２＋５ｍｍ＝２１５ｍｍ）が、カードトレイ６０４に排出できる限度となる。
なお、画像１つ分が限度の場合、正常品より大きなサイズのＮＧ品は排出できないので、正常品より小さく断裁して排出する方法が採用される。
【００６７】
＜（３）排紙トレイに排出する場合＞
上記（２）の方法は、断裁回数が上記（１）の方法よりも少なく、生産性や断裁歯の寿命の観点から有利ではあるが、正常品とＮＧ品が同じカードトレイ６０４に排出されるため、判別できるものの、仕分けが必要となる。
（３）の方法は、このようなデメリットを減らすことを目的として、不良領域を、排紙トレイＴ４に排出させる方法である。
このとき、用紙の搬送経路にはローラーが複数設置されており、そのローラーの回転のより、用紙は排紙トレイＴ４まで搬送されるため、ローラー間の長さで、用紙の必要長が決まる。例えば、ＣＤカッター６０２から排紙トレイＴ４までの搬送経路でローラー間の長さの最大区間長さが２３０ｍｍの場合、２３０ｍｍ以上の用紙が搬送可能である。
例えば、画像１つ分が１００ｍｍ、余白領域が５ｍｍの場合、排紙トレイＴ４に搬送するには、画像３つ分（１０５ｍｍ×３＋５ｍｍ＝３２０ｍｍ）の用紙長が必要となる。
この場合、制御部１１は、図１１に示すように、３〜５列目（１５枚の画像）を不良領域とし、それ以外の領域を、正常領域と区分けする。
そして、制御部１１は、上述の理由から、３〜５列目の間を断裁しない、即ち、２列目が終了した時点で断裁をしないように断裁条件を設定し、排紙トレイＴ４に排出させる。
この際、上記（１）及び上記（２）の１つ目の例と比べると、リカバリー対象は増えるが、断裁回数をより少なくすることで生産性の低下が少なく、断裁歯の寿命も長くなり、加えてＮＧ品を排紙トレイＴ４に排出することができるので、正常品との分類処理も不要となる。
【００６８】
以上、３つの排出先のいずれかに排出する場合の断裁条件について説明したが、いずれの排出先を利用するかについては、ユーザーが任意で選択することが可能である。
【００６９】
図１２は、ユーザーが排出先を指示するための設定画面Ｇの一例である。
図１２に示すように、設定画面Ｇは、「屑箱選択部」ｇ１０、「カードトレイ選択部」ｇ２０、「排紙トレイ選択部」ｇ３０を有している。
【００７０】
「屑箱選択部」ｇ１０は、屑箱を選択するために使用される。
「屑箱選択部」ｇ１０は、「断裁幅設定部」ｇ１１を有し、屑箱を選択した場合、「最大長」又は「固定長」を選択可能である。「最大長」を指定した場合は、上記（１）の例では（１５ｍｍ）のように、装置構成上の最大長が設定される。「固定長」を指定した場合は、最大長以下の値を指定可能である。
【００７１】
「カードトレイ選択部」ｇ２０は、カードトレイを選択するために使用される。
「カードトレイ選択部」ｇ２０は、「サイズ設定部」ｇ２１を有し、カードトレイを選択した場合、「正常品より小さいサイズで排出する」又は「正常品より大きいサイズで排出する」のいずれかのサイズを選択可能である。
【００７２】
「排紙トレイ選択部」ｇ３０は、排紙トレイを選択するために使用される。
【００７３】
なお、設定画面Ｇには、画像を読み取った際、画像に特定文字（氏名、住所、電話番号等の個人情報）が含まれると検知した場合に、自動で「屑箱選択部」ｇ１０が選択される設定とするためのチェックボックスＧ４０を有する。チェックボックスＧ４０にチェックが入った状態では、画像に特定文字が含まれると、「屑箱選択部」ｇ１０が自動で選択されることとなる。
【００７４】
また、排出先は、かかる設定画面Ｇを用いて、ジョブ毎に設定することも可能である。
また、ＮＧ品（不良領域）が排出される場所を表示部１４に表示させ、ユーザーに報知することで、カードトレイ６０４や排紙トレイＴ４に排出した場合に除去作業を促す構成としても良い。
【００７５】
図４に戻って、制御部１１は、上記したように断裁条件の設定を行った後、用紙に、断裁実行後に正常品として排出可能な正常領域があるか否かを判断し（ステップＳ１１４）、これが無い場合（ステップＳ１１４：ＮＯ）、上記ステップＳ１１１に移行する。
つまり、断裁条件を設定した結果、用紙の全領域が不良領域として区分けされた場合、断裁実行後に正常品として排出可能な正常領域が無いと判断される。
【００７６】
一方、断裁実行後に正常品として排出可能な正常領域がある場合（ステップＳ１１４：ＹＥＳ）、制御部１１は、搬送されている用紙の正常領域が断裁部６１０に達したか否かを判断する（ステップＳ１１６）。
【００７７】
そして、正常領域が断裁部６１０に達していない場合（ステップＳ１１６：ＹＥＳ）、制御部１１は、ジョブ情報の断裁設定に基づいて正常領域の断裁処理を実行し（ステップＳ１１７）、ゲート６０５を切り換えて、正常品をカードトレイ６０４に排出させ（ステップＳ１１８）、後述のステップＳ１２２に移行する。
【００７８】
また、正常領域が断裁部６１０に達していない場合（ステップＳ１１６：ＮＯ）、制御部１１は、上記ステップＳ１１４にて設定した断裁条件に基づいて断裁処理を行い（即ち、不良領域の断裁処理を行い）（ステップＳ１１９）、指定された排出先にＮＧ品を排出させる（ステップＳ１２０）。
【００７９】
次いで、制御部１１は、リカバリー用の用紙ナンバーと、リカバリー画像を記憶部１２に記憶させる（ステップＳ１２１）。リカバリー画像は、不良領域に含まれた画像である。なお、リカバリー画像の代わりに、列番号を記憶させてもよい。
【００８０】
次いで、制御部１１は、用紙の全領域の断裁が完了したか否かを判断し（ステップＳ１２２）、完了していない場合（ステップＳ１２２：ＮＯ）、上記ステップＳ１１６に戻って以降の処理を繰り返す。
【００８１】
一方、用紙の全領域の断裁が完了した場合（ステップＳ１２２：ＹＥＳ）、制御部１１は、記憶部１２に記憶されたリカバリー用の用紙ナンバーと、リカバリー画像に基づいて、リカバリー画像を作成し、リカバリー要求を行う（ステップＳ１２３）。
【００８２】
ここで、リカバリー画像の作成について説明する。
なお、リカバリー処理とは、不良領域に含まれていた画像を再度用紙に形成する処理である。
【００８３】
例えば、図８の例では、用紙Ｐの３列目が不良領域だったため、図１３に示すように、新たな用紙Ｐ１に、用紙Ｐの３列目の画像を形成する。そして、３列目のみジョブ情報に基づく断裁処理を実施してカードトレイ６０４に排出させる。なお、この場合、１〜２列目と４〜５列目には断裁を実施しないことで、カードトレイ６０４に識別可能に排出させることができるが、画像の形成されていない領域の長さに応じて、排紙トレイＴ４に排紙させても良い。
また、図１４に示すように、図８の例で用紙Ｐの３列目にあった不良領域を、新たな用紙Ｐ１の１列目に配置してもよい。これにより、複数の用紙で不良領域が発生した場合には、それらを１列目、２列目に配置することでリカバリー用紙の無駄を削減することが出来る。
【００８４】
次いで、制御部１１は、リカバリー画像を含め、全画像形成処理が終了したか否かを判断し（ステップＳ１２４）、終了していない場合（ステップＳ１２４：ＮＯ）、上記ステップＳ１０１に戻って以降の処理を繰り返す。
一方、終了した場合（ステップＳ１２４：ＹＥＳ）、本処理を終了する。
【００８５】
なお、上記の例では、１枚の用紙において欠陥が１つであったが、欠陥が複数ある場合には、複数の欠陥の位置を応じて、不良領域が決定される。
例えば、図１５に示すように、３列目と５列目に欠陥画像が発生した場合、排紙トレイＴ４に排出可能な長さとなる３〜５列目を不良領域として、排紙トレイＴ４に排出させても良い。
【００８６】
また、図１６に示すように、用紙の表面と裏面に欠陥画像が有る場合には、その位置に応じて不良領域が決定される。
例えば、図１６に示すように、表面の４列目と５列目、裏面の３列目に欠陥画像がある場合、３〜５列目を不良領域として、排紙トレイＴ４に排出させても良い。
【００８７】
［本実施の形態による効果］
以上のように、本実施の形態によれば、画像形成システム１は、用紙に複数の画像を形成する画像形成部２０と、画像形成部２０により複数の画像が形成された用紙を断裁する断裁部６１０と、断裁部６１０による断裁処理前に読取部４１０により用紙上の画像を読み取り、複数の画像それぞれに対して欠陥の有無を判定する制御部１１と、を備える。
そして、制御部１１は、いずれかの画像に欠陥が有ると判定した場合、用紙を、欠陥を含まない正常領域と欠陥を含む不良領域とに区分して、正常領域が複数の画像の画像サイズに応じた第１サイズであって、不良領域が第１サイズと異なる第２サイズとなるように、断裁部６１０による断裁を実行させる。
このため、用紙を分割断裁する機能を備える画像形成システム１において、画像に欠陥が発生した場合、その用紙の画像に欠陥が無い部分の利用が可能となり、無駄の発生を抑制することができる。
【００８８】
また、本実施の形態によれば、用紙を排出する複数の排出部を備え、制御部１１は、複数の排出部のうち、第２サイズに応じた一の排出部から、不良領域を排出する。
このため、不良領域を、そのサイズ（第２サイズ）によって適した排出部から排出することができる。
【００８９】
また、本実施の形態によれば、制御部１１は、ユーザー操作により指定された一の排出部から、不良領域を排出させる。
このため、ユーザーの任意の排出部から、不良領域を排出させることができる。
【００９０】
また、本実施の形態によれば、複数の排出部は、断裁部６１０が用紙を断裁することにより発生する用紙屑を収容する屑箱６０３と、断裁部６１０が用紙の正常領域を断裁することにより生成する第１サイズの正常品を収容するカードトレイ６０４と、断裁部６１０により用紙されていない用紙を排出可能な排紙トレイＴ４と、を含む。
このため、不良領域を、そのサイズ（第２サイズ）によって適した排出部から排出することができる。また、排出部として既存の構成を利用することができる。
【００９１】
また、本実施の形態によれば、制御部１１は、屑箱６０３に不良領域を排出する場合、第２サイズを、ユーザー操作により指定された指定値に設定可能である。
このため、ユーザーの任意で細かく断裁することが可能となる。例えば、個人情報等の載った画像を断裁する場合などに特に有効である。
【００９２】
また、本実施の形態によれば、制御部１１は、カードトレイ６０４又は排紙トレイＴ４に不良領域を排出する場合、第２サイズを、第１サイズの整数倍の値に設定する。
このため、第２サイズを、断裁回数を極力抑えた適切なサイズとして、不良領域を排出することが可能となる。
【００９３】
また、本実施の形態によれば、画像形成部２０は、隣接する画像間に余白領域を有するように複数の画像を形成し、制御部１１は、第２サイズを、第１サイズの整数倍の値と、余白領域の長さとを加算した値に設定する。
このため、隣接する画像間に余白領域を有するように複数の画像が形成された場合に、第２サイズを、余白領域を加味したサイズにすることができる。
【００９４】
また、本実施の形態によれば、制御部１１は、複数の画像に欠陥が有ると判定された場合、複数の欠陥の位置に応じて、不良領域を決める。
このため、複数の欠陥の位置に応じて、適切なサイズの不良領域を設定することができる。
【００９５】
また、本実施の形態によれば、画像形成部２０は、用紙の両面に対して画像形成可能であり、制御部１１は、用紙の両面の画像に対して欠陥の有無を判定可能であり、用紙の両面に欠陥が有ると判定された場合、用紙の両面の欠陥の位置に応じて、不良領域を決める。
このため、用紙の両面の欠陥の位置に応じて、適切なサイズの不良領域を設定することができる。
【００９６】
また、本実施の形態によれば、制御部１１は、不良領域に含まれる画像に関するリカバリー情報を記憶部１２に記憶させ、画像形成部２０により、新たな用紙に、リカバリー情報に基づくリカバリー画像を形成させる。
このため、不良領域に含まれる画像を、再度、用紙に形成することができる。
【００９７】
また、本実施の形態によれば、制御部１１は、新たな用紙のリカバリー画像の形成された領域のみを、断裁部６１０により第１サイズで断裁させる。
このため、リカバリー画像の断裁時において、断裁処理の回数を最低限に抑えることができる。
【００９８】
また、本実施の形態によれば、制御部１１は、用紙の搬送方向の断裁位置を制御して、第２サイズを変更する。
このため、第２サイズを変更する制御を容易に行うことができる。
【００９９】
また、本実施の形態によれば、制御部１１は、画像形成条件の異なる複数のジョブを実行可能であり、ユーザー操作に応じて、不良領域の断裁処理に関する断裁条件を、ジョブ毎に設定可能である。
このため、ユーザーの任意で、ジョブに応じた不良領域の断裁処理を行うことが可能となる。
【０１００】
また、本実施の形態によれば、制御部１１は、不良領域の排出先を表示部１４に表示させる。
このため、不良領域の排出先をユーザーが容易に認識することができる。
【０１０１】
以上、本発明を適用可能な実施の形態は、上述した実施の形態に限定されることなく、本発明の趣旨を逸脱しない範囲で適宜変更可能である。
【０１０２】
例えば、上記実施の形態においては、用紙に複数の画像を形成する際、隣接する画像間に余白領域が設けられる構成を例示して説明したがが、余白領域を有さない複数の画像を形成しても良い。
【０１０３】
また、上記実施の形態においては、用紙を搬送方向及び幅方向に断裁する構成を例示して説明したが、幅方向に断裁を行わない（ＦＤスリッター６０１を用いない）サイズに断裁することも可能である。
【０１０４】
また、画像形成システム１としては、インサーター３００、パージユニット５００、排紙ユニット７００を備えない構成とすることもできる。
なお、パージユニット５００を備えない場合、上記ステップＳ１１１においては、パージユニット５００のパージトレイＴ３の代わりに、他の排紙トレイ（例えば、画像形成システム１の最下流に設置された排紙トレイ等）に用紙を排出させればよい。
【符号の説明】
【０１０５】
１  画像形成システム
１００  給紙ユニット
２００  画像形成装置
１１  制御部（検査部）
１２  記憶部
１３  操作部
１４  表示部
Ｇ  設定画面
１５  通信部
１６  画像生成部
１７  画像読取部
１８  画像メモリー
１９  画像処理部
２０  画像形成部
３００  インサーター
４００  画像読取ユニット
４１０  読取部（検査部）
５００  パージユニット
Ｔ３  パージトレイ
６００  断裁ユニット
６１０  断裁部
６０１  スリッター
６０２  カッター
６０３  屑箱（排出部、用紙屑収容箱）
６０３ａ  開口部
６０４  カードトレイ（排出部、正常品収容トレイ）
６０４ａ  開口部
６０５  ゲート
Ｔ４  排紙トレイ（排出部）
７００  排紙ユニット
Ｐ、Ｐ１  用紙
【図１】
2020016713.tif 000003
【図２】
2020016713.tif 000004
【図３】
2020016713.tif 000005
【図４】
2020016713.tif 000006
【図５】
2020016713.tif 000007
【図６】
2020016713.tif 000008
【図７】
2020016713.tif 000009
【図８】
2020016713.tif 000010
【図９】
2020016713.tif 000011
【図１０】
2020016713.tif 000012
【図１１】
2020016713.tif 000013
【図１２】
2020016713.tif 000014
【図１３】
2020016713.tif 000015
【図１４】
2020016713.tif 000016
【図１５】
2020016713.tif 000017
【図１６】
2020016713.tif 000018